(57)【特許請求の範囲】
【請求項１】
片流れ屋根の棟部分における換気構造であって、外壁材、屋根下地、前記屋根下地上に設置されている屋根材、前記屋根下地を貫通する換気口、前記屋根下地に固定されている棟桟受け具、前記棟桟受け具に支持されている棟桟、前記棟桟に固定された換気役物、及び前記換気役物を覆う換気棟包を具備し、
前記換気役物よりも屋内側に前記換気口に通じる換気空間が形成され、
前記換気棟包と前記換気役物との間に通気空間が形成され、
前記換気棟包の屋根側端部と前記屋根材との間に、屋外と前記通気空間とを通じさせる屋根側換気口が形成され、
前記換気棟包の外壁側端部と前記外壁材との間に、屋外と前記通気空間とを通じさせる壁側換気口が形成され、
前記換気役物は、
前記棟桟に固定される固定部と、
前記固定部から前記屋根下地に沿って突出する屋根側傾斜片と、
前記固定部から前記外壁材に沿って突出する垂直片と、
前記屋根側傾斜片を貫通して前記換気空間と前記通気空間とを通じさせる屋根側開口部と、
前記垂直片を貫通して前記換気空間と前記通気空間とを通じさせる壁側開口部と、
前記屋根側傾斜片の前記屋根側開口部よりも軒側の位置から前記換気空間へ突出する第一邪魔板と、
前記垂直片の前記壁側開口部より下方位置から前記換気空間へ突出し、前記壁側開口部と対向する第二邪魔板と、
前記屋根側傾斜片の上方で前記固定部から前記屋根側傾斜片に沿って前記通気空間へ突出し、前記屋根側開口部と対向する第三邪魔板と、
前記屋根側傾斜片の前記屋根側開口部よりも軒側の位置から前記通気空間へ突出する第四邪魔板とを備え、前記第四邪魔板の先端と前記第三邪魔板の先端との間に間隙が存在する、
屋根の換気構造。
【請求項２】
前記屋根側開口部が、前記換気口の直上に位置する請求項１に記載の屋根の換気構造。
【請求項３】
前記通気空間における前記屋根側換気口と前記第四邪魔板との間で、前記換気役物と前記換気棟包との間の間隔が、前記屋根側換気口から前記第四邪魔板に向かって大きくなっている請求項１又は２に記載の屋根の換気構造。
【請求項４】
前記通気空間における前記間隙と前記壁側開口部との間で、前記換気役物と前記換気棟包との間の間隔が、前記間隙から前記壁側開口部に向かって大きくなってから小さくなっている請求項１乃至３のいずれか一項に記載の屋根の換気構造。
【請求項５】
前記第二邪魔板の前記垂直片に沿った水平方向の端部に、前記第二邪魔板と前記垂直片とで挟まれた空間を閉塞する閉塞片が設けられている請求項１乃至４のいずれか一項に記載の屋根の換気構造。
【請求項６】
片流れ屋根の棟部分に設置される換気役物及び前記換気役物を覆う換気棟包を具備し、
前記換気棟包と前記換気役物との間に通気空間が形成され、
前記換気役物は、
固定部と、
前記固定部から斜め下方に突出する屋根側傾斜片と、
前記固定部から下方に突出する垂直片と、
前記屋根側傾斜片を貫通して前記通気空間に通じる屋根側開口部と、
前記垂直片を貫通して前記通気空間に通じる壁側開口部と、
前記屋根側傾斜片の前記屋根側開口部よりも先端側の位置から前記通気空間とは反対側へ突出する第一邪魔板と、
前記垂直片の前記壁側開口部より先端側の位置から前記通気空間とは反対側へ突出し、前記壁側開口部と対向する第二邪魔板と、
前記固定部から前記屋根側傾斜片に沿って前記通気空間へ突出し、前記屋根側開口部と対向する第三邪魔板と、
前記屋根側傾斜片の前記屋根側開口部よりも先端側の位置から前記通気空間へ突出する第四邪魔板とを備え、前記第四邪魔板の先端と前記第三邪魔板の先端との間に間隙が存在する、
換気部材。
【発明の詳細な説明】
【技術分野】
【０００１】
本発明は、屋根の換気構造及び換気部材に関し、詳しくは片流れ屋根の棟部分における換気構造、及びこの換気構造に適用される換気部材に関する。
【背景技術】
【０００２】
片流れ屋根とは、一方向だけに勾配のある屋根のことである。従来、片流れ屋根における棟部分で屋内と屋外との間の換気を可能とする換気構造が提供されている。
【０００３】
例えば特許文献１に記載されている換気構造では、屋根下地に換気口を設け、棟頂部に棟桟を取り付け、棟桟から屋根の棟側の端面にかけて水切り材で覆い、換気部材を棟桟に跨らせて取り付けると共に、換気部材で換気口と水切り材を覆っている。換気部材は、換気役物と、換気役物を覆う棟包とからなる。換気役物には通気孔が設けられ、この通気孔が換気口に通じている。これにより、換気口及び通気孔を通じて、屋内と屋外との間の換気が可能となっている。
【０００４】
しかし、特許文献１に記載されている換気構造は、屋内への水の浸入を防ぐために換気役物に多くの水切りや邪魔板が設けられているため、複雑な形状を有する。また、強い風が吹くと風が屋内に入り込みやすくなるため、多くの水切りや邪魔板を備えていても、風と共に雨水も屋内に入り込みやすくなる。
【先行技術文献】
【特許文献】
【０００５】
【特許文献１】特願２０１０−７４２９号公報
【発明の概要】
【発明が解決しようとする課題】
【０００６】
本発明は上記事由に鑑みてなされたものであり、簡易な構造を有し、強風下でも屋内への水の浸入を効果的に抑制することができる屋根の換気構造及び換気部材を提供することを目的とする。
【課題を解決するための手段】
【０００７】
本発明に係る屋根の換気構造は、片流れ屋根の棟部分における換気構造であって、外壁材、屋根下地、前記屋根下地上に設置されている屋根材、前記屋根下地を貫通する換気口、前記屋根下地に固定されている棟桟受け具、前記棟桟受け具に支持されている棟桟、前記棟桟に固定された換気役物、及び前記換気役物を覆う換気棟包を具備し、前記換気役物よりも屋内側に前記換気口に通じる換気空間が形成され、前記換気棟包と前記換気役物との間に通気空間が形成され、前記換気棟包の屋根側端部と前記屋根材との間に、屋外と前記通気空間とを通じさせる屋根側換気口が形成され、前記換気棟包の外壁側端部と前記外壁材との間に、屋外と前記通気空間とを通じさせる壁側換気口が形成され、前記換気役物は、前記棟桟に固定される固定部と、前記固定部から前記屋根下地に沿って突出する屋根側傾斜片と、前記固定部から前記外壁材に沿って突出する垂直片と、前記屋根側傾斜片を貫通して前記換気空間と前記通気空間とを通じさせる屋根側開口部と、前記垂直片を貫通して前記換気空間と前記通気空間とを通じさせる壁側開口部と、前記屋根側傾斜片の前記屋根側開口部よりも軒側の位置から前記換気空間へ突出する第一邪魔板と、前記垂直片の前記壁側開口部より下方位置から前記換気空間へ突出し、前記壁側開口部と対向する第二邪魔板と、前記屋根側傾斜片の上方で前記固定部から前記屋根側傾斜片に沿って前記通気空間へ突出し、前記屋根側開口部と対向する第三邪魔板と、前記屋根側傾斜片の前記屋根側開口部よりも軒側の位置から前記通気空間へ突出する第四邪魔板とを備え、前記第四邪魔板の先端と前記第三邪魔板の先端との間に間隙が存在することを特徴とする。
【０００８】
本発明に係る屋根の換気構造において、前記屋根側開口部が、前記換気口の直上に位置することが好ましい。
【０００９】
本発明に係る屋根の換気構造において、前記通気空間における前記屋根側換気口と前記第四邪魔板との間で、前記換気役物と前記換気棟包との間の間隔が、前記屋根側換気口から前記第四邪魔板に向かって大きくなっていることが好ましい。
【００１０】
本発明に係る屋根の換気構造において、前記通気空間における前記間隙と前記壁側開口部との間で、前記換気役物と前記換気棟包との間の間隔が、前記間隙から前記壁側開口部に向かって大きくなってから小さくなっていることが好ましい。
【００１１】
本発明に係る屋根の換気構造において、前記第二邪魔板の前記垂直片に沿った水平方向の端部に、前記第二邪魔板と前記垂直片とで挟まれた空間を閉塞する閉塞片が設けられていることが好ましい。
【００１２】
本発明に係る換気部材は、片流れ屋根の棟部分に設置される換気役物及び前記換気役物を覆う換気棟包を具備し、前記換気棟包と前記換気役物との間に通気空間が形成され、前記換気役物は、固定部と、前記固定部から斜め下方に突出する屋根側傾斜片と、前記固定部から下方に突出する垂直片と、前記屋根側傾斜片を貫通して前記通気空間に通じる屋根側開口部と、前記垂直片を貫通して前記通気空間に通じる壁側開口部と、前記屋根側傾斜片の前記屋根側開口部よりも先端側の位置から前記通気空間とは反対側へ突出する第一邪魔板と、前記垂直片の前記壁側開口部より先端側の位置から前記通気空間とは反対側へ突出し、前記壁側開口部と対向する第二邪魔板と、前記固定部から前記屋根側傾斜片に沿って前記通気空間へ突出し、前記屋根側開口部と対向する第三邪魔板と、前記屋根側傾斜片の前記屋根側開口部よりも先端側の位置から前記通気空間へ突出する第四邪魔板とを備え、前記第四邪魔板の先端と前記第三邪魔板の先端との間に間隙が存在することを特徴とする。
【発明の効果】
【００１３】
本発明によれば、邪魔板として第一邪魔板、第二邪魔板、第三邪魔板及び第四邪魔板を備えるという簡易な構造を有し、強風下でも屋内への水の浸入を効果的に抑制することができる屋根の換気構造及び換気部材が得られる。
【図面の簡単な説明】
【００１４】
【図１】本発明の一実施形態における換気構造を示す断面図である。
【図２】図１Ａは前記実施形態における換気役物の平面図、図１Ｂは前記換気役物の正面図である。
【図３】前記換気役物の背面図である。
【図４】前記換気役物の側面図である。
【図５】図３のＡ−Ａ断面図である。
【図６】図３のＢ−Ｂ断面図である。
【図７】図７Ａは前記実施形態における換気棟包を示す左側面図、図７Ｂは前記換気棟包を示す正面図、図７Ｃは前記換気棟包を示す右側面図、図７Ｄは図７ＣのＤ−Ｄ断面図、図７Ｅは図７ＣのＥ−Ｅ断面図、図７Ｆは図７ＢのＣ−Ｃ断面図、図７Ｇは図７ＦのＢ方向矢視図、図７Ｈは図７ＦのＣ方向矢視図、図７Ｉは図７ＦのＡ方向矢視図、図７Ｊは図７ＢのＡ−Ａ断面図、図７Ｋは図７ＢのＢ−Ｂ断面図である。
【図８】図８Ａは前記実施形態における捨て水切りを示す平面図、図８Ｂは図８Ａの正面図、図８Ｃは図８Ａの側面図である。
【図９】前記実施形態の換気構造を施工する工程を示す斜視図である。
【図１０】前記実施形態の換気構造を施工する工程を示す斜視図である。
【図１１】前記実施形態の換気構造を施工する工程を示す斜視図である。
【図１２】前記実施形態の換気構造を施工する工程を示す断面図である。
【図１３】前記実施形態の換気構造を施工する工程を示す斜視図である。
【図１４】前記実施形態の換気構造を施工する工程を示す断面図である。
【図１５】前記実施形態の換気構造を施工する工程を示す斜視図である。
【発明を実施するための形態】
【００１５】
本実施形態に係る屋根の換気構造及び換気部材１００について説明する。
【００１６】
本実施形態に係る屋根の換気構造は、片流れ屋根の棟部分における換気構造である。
【００１７】
換気構造は、図１に示すように、外壁材１、屋根下地２、屋根下地２上に設置されている屋根材３、屋根下地２を貫通する換気口４、屋根下地２に固定されている棟桟受け具５０、棟桟受け具５０に支持されている棟桟５、棟桟５に固定された換気役物７、及び換気役物７を覆う換気棟包８を具備する。
【００１８】
更に、換気構造において、換気役物７よりも屋内側に換気口４に通じる換気空間９が形成され、換気棟包８と換気役物７との間には通気空間１０が形成されている。
【００１９】
換気棟包８の屋根側端部と屋根材３との間には、屋外と通気空間１０とを通じさせる屋根側換気口１１が形成されている。換気棟包８の外壁側端部と外壁材１との間には、屋外と通気空間１０とを通じさせる壁側換気口１２が形成されている。
【００２０】
換気役物７は、固定部７１と、屋根側傾斜片７２と、垂直片７３と、屋根側開口部７４と、壁側開口部７５と、第一邪魔板７６と、第二邪魔板７７と、第三邪魔板７８と、第四邪魔板７９とを備える。
【００２１】
固定部７１は棟桟５に固定される。屋根側傾斜片７２は、固定部７１から屋根下地２に沿って突出している。垂直片７３は、固定部７１から外壁材１に沿って突出している。屋根側開口部７４は、屋根側傾斜片７２を貫通して換気空間９と通気空間１０とを通じさせる。壁側開口部７５は、垂直片７３を貫通して換気空間９と通気空間１０とを通じさせる。第一邪魔板７６は、屋根側傾斜片７２の屋根側開口部７４よりも軒側の位置から換気空間９へ突出ている。第二邪魔板７７は、垂直片７３の壁側開口部７５より下方位置から換気空間９へ突出し、壁側開口部７５と対向している。第三邪魔板７８は、屋根側傾斜片７２の上方で固定部７１から屋根側傾斜片７２に沿って通気空間１０へ突出し、屋根側開口部７４と対向している。第四邪魔板７９は、屋根側傾斜片７２の屋根側開口部７４よりも軒側の位置から通気空間１０へ突出している。第四邪魔板７９の先端と第三邪魔板７８の先端との間には間隙７１０が存在する。
【００２２】
また、本実施形態に係る換気部材１００は、上記換気構造に適用される。換気部材１００は、換気構造における換気役物７と、換気構造における換気棟包８とを具備する。
【００２３】
すなわち、換気部材１００は、片流れ屋根の棟部分に設置される換気役物７及び換気役物７を覆う換気棟包８を具備する。
【００２４】
換気部材１００において、換気棟包８と換気役物７との間には通気空間１０が形成される。
【００２５】
換気部材１００における換気役物７は、固定部７１と、屋根側傾斜片７２と、垂直片７３と、屋根側開口部７４と、壁側開口部７５と、第一邪魔板７６と、第二邪魔板７７と、第三邪魔板７８と、第四邪魔板７９とを備える。
【００２６】
屋根側傾斜片７２は固定部７１から斜め下方に突出している。垂直片７３は、固定部７１から下方に突出している。尚、「下方」とは、換気部材１００を片流れ屋根の棟部分に設置した場合における下方を意味する。下方を第一の方向と言い換えて、屋根側傾斜片７２は固定部７１から第一の方向に対して斜めに突出し、垂直片７３は固定部７１から第一の方向に突出している、ということもできる。屋根側開口部７４は、屋根側傾斜片７２を貫通して通気空間１０に通じている。壁側開口部７５は、垂直片７３を貫通して通気空間１０に通じている。第一邪魔板７６は、屋根側傾斜片７２の屋根側開口部７４よりも先端側の位置から通気空間１０とは反対側へ突出している。第二邪魔板７７は、垂直片７３の壁側開口部７５より先端側の位置から通気空間１０とは反対側へ突出し、壁側開口部７５と対向している。第三邪魔板７８は、固定部７１から屋根側傾斜片７２に沿って通気空間１０へ突出し、屋根側開口部７４と対向している。第四邪魔板７９は、屋根側傾斜片７２の屋根側開口部７４よりも先端側の位置から通気空間１０へ突出している。第四邪魔板７９の先端と第三邪魔板７８の先端との間には間隙７１０が存在する。
【００２７】
本実施形態に係る屋根の換気構造及び換気部材１００について、更に詳しく説明する。本実施形態では、垂木２１及び垂木２１に支持されている野地板２２が、屋根下地２を構成する。垂木２１は屋根の棟部分において棟木２５に支持されている。野地板２２は一方向だけに勾配を有する。本実施形態では、屋根下地２に形成されている換気口４は、野地板２２を貫通している。
【００２８】
本実施形態では、外壁材１は、下地材２３と、下地材２３の外面に設置された外層材２４とを備える。外壁材１の上端は、垂木２１の棟側端部上に配置されている。外壁材１は、更に破風板及び化粧破風を備えてもよい。破風板は例えば外層材２４の上端部の外面上に設置され、化粧は不は破風板の外面上に設置される。
【００２９】
本実施形態では、野地板２２上に防水シートが設置されていてもよい。この場合、防水シートには、換気口４に合致する開口が形成されている。尚、以降の説明における野地板２２には、防水シートが設置されている野地板２２と、防水シートが設置されていない野地板２２との、両方が含まれる。
【００３０】
野地板２２上には、捨て水切り２７が取り付けられている。捨て水切りの詳細は図８Ａ、図８Ｂ及び図８Ｃに示す。捨て水切り２７は、筒部２７１と設置片２７２とを備える。筒部２７１は上下に開口する筒状体であり、設置片２７２は筒部２７１の下端の全周から外方へ突出している。捨て水切り２７は例えば金属製であるが、これに限られない。捨て水切り２７の設置片２７２は野地板２２上に配置され、筒部２７１は換気口４に合致する位置に配置される。設置片２７２は、例えば釘、リベットなどの固定具６で、野地板２２上に固定される（図９参照）。これにより、捨て水切り２７が野地板２２上に固定されている。捨て水切り２７の周りには、全周に亘って防水テープ２７３が貼り付けられている（図１０Ａ及び図１０Ｂ参照）。防水テープ２７３は、例えばブチルゴム製の片面粘着テープである。防水テープ２７３は設置片２７２上から野地板２２上に跨がって設けられている。この防水テープ２７３が、設置片２７２と野地板２２との間から屋内への水の浸入、並びに固定具６の打ち込み位置から屋内への水の浸入を、抑制することができる。
【００３１】
このように捨て水切り２７が設置されると、野地板２２上の水が換気口４を通じて屋内に浸入するためには、水が筒部２７１を乗り越えなければならなくなる。このため、捨て水切り２７は水が野地板２２上から換気口４を通じて屋内へ浸入することを、阻害することができる。
【００３２】
野地板２２上には、複数の屋根材３が設置されている。屋根材３は、例えば立体的形状を有する繊維補強軽量セメント瓦、又は平面視矩形状の化粧スレート瓦であるが、これらに限られない。屋根材３の棟側端部は、換気口４よりも軒側の位置に配置され、この屋根材３の棟側端部よりも棟側では、野地板２２の一部が露出している。
【００３３】
本実施形態では、野地板２２上の、換気口４よりも棟側の位置に、棟桟受け具５０が固定されている。棟桟受け具５０は、上方と軒棟方向と直交する水平方向とに開口する被冠部５１と、被冠部５１から下方に突出する脚部５２と、脚部５２の下端から外方に突出する設置片５３とを備える。棟桟受け具５０の設置片５３は野地板２２上に配置される。設置片５３は、例えば釘などの固定具６で、野地板２２上に固定される（図９参照）。これにより、棟桟受け具５０が野地板２２上に固定されている。
【００３４】
野地板２２上には、複数の棟桟受け具５０が、軒棟方向と直交する水平方向に沿って、間隔をあけて並ぶように設けられていてもよい。
【００３５】
本実施形態では、棟桟５は、軒棟方向と直交する水平方向に沿って長い角材である。棟桟５は例えば木製であるが、これに限られない。棟桟５は、棟桟受け具５０の被冠部５１に嵌合している。これにより、棟桟５が棟桟受け具５０で支持されている。本実施形態では、ビス、リベットなどの固定具６で被冠部５１に棟桟５を固定している（図１１参照）。このため棟桟５が棟桟受け具５０に強固に固定される。
【００３６】
棟桟５に換気役物７が固定されている。換気役物７の上方に換気棟包８が配置され、換気棟包８が換気役物７を覆っている。換気棟包８と換気役物７との間には通気空間１０が形成され、換気役物７よりも屋内側に換気空間９が形成されている。換気空間９は、換気口４に通じている。
【００３７】
換気役物７の詳細は、図２Ａ、２Ｂ、３，４、５及び６に示す。換気役物７は、例えば金属製である。換気役物７は、固定部７１、固定部７１から屋根下地２に沿って突出する屋根側傾斜片７２、及び固定部７１から外壁材１に沿って突出する垂直片７３を備える。
【００３８】
本実施形態では、換気役物７は本体部材７０、第一邪魔板部材７０１、第二邪魔板部材７０２、第三邪魔板部材７０３及び第四邪魔板部材７０４を備え、これらのうち本体部材７０が、固定部７１、屋根側傾斜片７２、及び垂直片７３を備える。
【００３９】
固定部７１は、棟桟５の上部に嵌合する嵌合部７１１と、嵌合物の棟側端部から斜め下方に突出する傾斜部７１２とを備える。嵌合部７１１は、平板部７１３と、平板部７１３の棟側端部から下方に突出する棟側垂下部７１４と、平板部７１３の軒側端部から下方に突出する軒側垂下部７１５とを備える。棟桟５の上部と嵌合部７１１とが嵌合すると、棟桟５の上部は、平板部７１３、棟側垂下部７１４及び軒側垂下部７１５に囲まれた空間に配置される。
【００４０】
屋根側傾斜片７２は、固定部７１の軒側垂下部７１５の先端から固定部７１に対して斜めに突出している。本実施形態では、屋根側傾斜片７２は屋根下地２と略平行である。屋根側傾斜片７２の先端は、屋根材３の上面の上方に配置されている。屋根側傾斜片７２の先端部の下面と屋根材３の上面との間には防水シール材７２１が介在しており、これにより屋外から屋根側傾斜片７２と屋根材３との間への水の浸入が抑制される。防水シール材７２１は、例えばＥＰＤＭである。
【００４１】
垂直片７３は、固定部７１における傾斜部７１２の先端から固定部７１に対して垂直に突出している。垂直片７３は下方に向けて突出している。垂直片７３の先端部は化粧破風２４の外面と対向するように配置される。垂直片７３は化粧破風２４と重なっていてもよい。本実施形態では、外壁材１の化粧破風２４と垂直片７３との間に防水シール材７３１を介在させることで、外壁材１と垂直片７３との間の防水性を向上している。
【００４２】
換気役物７は、屋根側開口部７４及び壁側開口部７５も備える。
【００４３】
屋根側開口部７４は、屋根側傾斜片７２を貫通して換気空間９と通気空間１０とを通じさせる。本実施形態では、屋根側開口部７４は、屋根側傾斜片７２における固定部７１の近傍に形成されている。また、本実施形態では、複数の屋根側開口部７４が、軒棟方向と直交する水平方向に沿って並んでいる。また、本実施形態では、屋根側開口部７４は、屋根下地２における換気口４の直上に位置している。
【００４４】
壁側開口部７５は、垂直片７３を貫通して換気空間９と通気空間１０とを通じさせている。本実施形態では、壁側開口部７５は、垂直片７３における固定部７１の近傍に形成されている。また、本実施形態では、複数の壁側開口部７５が、軒棟方向と直交する水平方向に沿って並んでいる。
【００４５】
換気役物７は、第一邪魔板７６、第二邪魔板７７、第三邪魔板７８及び第四邪魔板７９を備える。本実施形態では、第一邪魔板部材７０１、第二邪魔板部材７０２、第三邪魔板部材７０３及び第四邪魔板部材７０４が、それぞれ第一邪魔板７６、第二邪魔板７７、第三邪魔板７８及び第四邪魔板７９を備える。
【００４６】
第一邪魔板部材７０１は、第一邪魔板７６と固定片７０５とを備える。固定片７０５は、屋根側開口部７４よりも軒側の位置で屋根側傾斜片７２の換気空間９側の面に重ねられ、ビス、リベットなどの固定具６で屋根側傾斜片７２に固定されている。第一邪魔板７６は、固定片の棟側端部から換気空間９へ向けて突出し、第一邪魔板７６と固定片７０５とがＬ字状をなしている。これにより、本体部材７０に第一邪魔板部材７０１が取り付けられ、第一邪魔板７６が屋根側傾斜片７２の屋根側開口部７４よりも軒側（すなわち屋根側傾斜片７２の先端側）の位置から換気空間９へ突出している。第一邪魔板７６の先端からは、下方へ向けて水切り片７０６が突出している。水切り片７０６の下端は、捨て水切り２７の筒部２７１の上部開口の直上よりも軒側の位置にある。
【００４７】
第二邪魔板部材７０２は、第二邪魔板７７と固定片７０７とを備える。固定片７０７は、壁側開口部７５よりも下方の位置で垂直片７３の換気空間９側の面に重ねられ、ビス、リベットなどの固定具６で垂直片７３に固定されている。第二邪魔板７７は、壁側開口部７５より下方位置（すなわち垂直片７３の先端側の位置）から換気空間９へ突出し、壁側開口部７５と対向している。本実施形態では第二邪魔板７７は、壁側開口部７５より下方位置から換気空間９へ突出する突出片７７１と、突出片７７１の先端から上方に突出する遮蔽片７７２とを備えることで、断面Ｌ状の形状を有する。遮蔽片７７２は壁側開口部７５と対向している。第二邪魔板部材７０２の軒棟方向と直交する水平方向の端部には、第二邪魔板７７と垂直片７３とで挟まれた空間を閉塞する閉塞片７１７が設けられている（図４参照）。閉塞片７１７は、例えば第二邪魔板部材７０２の端部を折り曲げることで形成される。
【００４８】
第三邪魔板部材７０３は、第三邪魔板７８と固定片７０８とを備える。固定片７０８は、固定部７１における平板部７１３の上に重ねられ、ビス、リベットなどの固定具６で固定部７１に固定されている。第三邪魔板７８は、固定片７０８の軒側端部から軒側に向けて、屋根側傾斜片７２に沿って突出している。第三邪魔板７８の先端は、屋根側開口部７４と対向する位置よりも軒側に位置している。これにより、第三邪魔板７８が屋根側傾斜片７２の上方で固定部７１から屋根側傾斜片７２に沿って通気空間１０へ突出し、屋根側開口部７４と対向している。第三邪魔板７８の先端部には、屋根下地２へ向けて突出する屈曲片７８１が形成されている。このため、屈曲片７８１は、第三邪魔板７８に付着した雨水又は結露水を屋根側開口部７４よりも軒側の位置に導くことができる。
【００４９】
第四邪魔板部材７０４は、第四邪魔板７９と固定片７０９とを備える。固定片７０９は、屋根側傾斜片７２の通気空間１０側の面上に、屋根側開口部７４よりも軒側の位置で重ねられ、ビス、リベットなどの固定具６で屋根側傾斜片７２に固定されている。第四邪魔板７９は、固定片７０９の棟側端部から通気空間１０に向けて突出している。第四邪魔板７９の先端は、第三邪魔板７８の先端よりも軒側に位置し、第四邪魔板７９の先端と第三邪魔板７８の先端との間には間隙７１０が存在する。これにより、第四邪魔板７９は、屋根側傾斜片７２の屋根側開口部７４よりも軒側の位置から通気空間１０へ突出し、第四邪魔板７９の先端と第三邪魔板７８の先端との間に間隙７１０が存在する。第四邪魔板７９の上端部には、屋根下地２とほぼ平行に軒側に向けて突出する水返し片７９１が形成されている。このため、水返し片７９１は、雨水が第四邪魔板７９を超えて屋根側開口部７４に浸入することを阻害することができる。
【００５０】
本実施形態では、屋根側傾斜片７２の換気空間９を向く面における屋根側開口部７４と第一邪魔板７６との間の領域上、並びに第一邪魔板７６における棟側を向く面上に、防露材７６１が設けられている（特に図５参照）。このため、第一邪魔板部材７０１には結露が生じにくくなり、結露により生じた水滴が換気口４へ落下して屋内に浸入することが抑制される。防露材７６１は、例えばポリエチレンフォームである。
【００５１】
また、本実施形態では、換気役物７の軒棟方向と直交する水平方向の両端部の各々における、固定部７１の換気空間９側の面及び屋根側傾斜片７２の換気空間９側の面に、防水シール材７２２が設けられている（特に図６参照）。
【００５２】
本実施形態では、換気棟包８は、屋根に沿って配置される屋根側部８１と、外壁に沿って配置される外壁側部８２とを備える。換気棟包８の詳細を、図７Ａ〜７Ｋに示す。換気棟包８は、例えばセメント成形品製又は無機窯業材料製であるが、これらに限られない。
【００５３】
屋根側部８１は、換気役物７の固定部７１及び屋根側傾斜片７２に沿って配置されることで、固定部７１及び屋根側傾斜片７２を覆っている。屋根側部８１の先端には、切り欠き状の凹所８３が形成されている。凹所８３は、屋根側部８１の先端側並びに軒棟方向に開口している。凹所８３と屋根材３との間に、屋外と通気空間１０とを通じさせる屋根側換気口１１が形成されている。尚、換気棟包８に凹所８３が形成されずに、屋根側部８１の先端と屋根材３との間の隙間に屋根側換気口１１が形成されてもよい。また、屋根側部８１は、上傾斜片８１１、中傾斜片８１２及び下傾斜片８１３を備える。上傾斜片８１１、中傾斜片８１２及び下傾斜片８１３は、棟側から軒側に向けて順に並んでいる。上傾斜片８１１、中傾斜片８１２及び下傾斜片８１３はいずれも、棟包８が屋根の棟部分に設置されている状態で、水平に対して軒側に向けて下方に傾斜しており、その傾斜角度は上傾斜片８１１、中傾斜片８１２、下傾斜片８１３の順に大きくなっている。これにより、上傾斜片８１１に雨水が滞留することなく、屋根材３上へスムーズに流れるものである。
【００５４】
外壁側部８２は換気役物７の垂直片７３に沿って配置されることで、垂直片７３を覆っている。外壁側部８２の垂直片７３と対向する面からは、突起８４が垂直片７３に向けて突出している。突起８４は、垂直片７３に接触することで、突起８４以外の位置で垂直片７３と外壁側部８２とが接触することを阻害している。外壁側部８２の先端と外壁材１との間には、屋外と通気空間１０とを通じさせる壁側換気口１２が形成されている。
【００５５】
本実施形態では、屋根側傾斜片７２の上方では、屋根側部８１の傾きが屋根側傾斜片７２の傾きよりも大きい。これにより、通気空間１０における屋根側換気口１１と第四邪魔板７９との間で、換気役物７と換気棟包８との間の間隔が、屋根側換気口１１から第四邪魔板７９に向かって大きくなっている。
【００５６】
また、第三邪魔板７８の上方では、屋根側部８１の傾きが第三邪魔板７８の傾きとほぼ同じであり、固定部７１の上方では固定部７１がほぼ水平であるのに対して屋根側部８１は棟側に向けて上り傾斜している。このため、換気役物７と換気棟包８との間の間隔は、間隙７１０から固定部７１の上方の間の部分において、徐々に大きくなっている。傾斜部７１２の上方では換気役物７と換気棟包８との間の間隔は更に大きくなる。また、外壁側部８２と垂直片７３との間の間隔は、傾斜部７１２の上方における換気役物７と換気棟包８との間の間隔よりも小さい。これにより、通気空間１０における間隙７１０と壁側開口部７５との間で、換気役物７と換気棟包８との間の間隔が、間隙７１０から壁側開口部７５に向かって、大きくなってから小さくなっている。
【００５７】
換気棟包８は、その軒棟方向と直交する水平方向の一端に、重ね代８５を備える。重ね代８５は、換気棟包８の屋根側部８１及び外壁側部８２の換気空間９側の面の形状と合致するように形成される。換気棟包８が重ね代８５を備えると、屋根の棟部分に換気棟包８の隣に別の棟包８００を設置する場合に、換気棟包８の重ね代８５に別の棟包８００を重ねることで、防水性が向上する（図１５参照）。
【００５８】
本実施形態における換気構造の施工方法の一例について説明する。
【００５９】
図９に示すように、まず野地板２２上に必要に応じて防水シートを敷いてから、屋根下地２上に屋根材３を設置する。最も棟側に設置された屋根材３の棟側端部と、野地板２２の棟側端部との間には、間隔をあけておくことで、野地板２２の棟側部分を露出させる。この野地板２２の棟側部分に、換気口４を形成する。換気口４は、野地板２２上に屋根材３を設置する前に形成しても、野地板２２上に屋根材３を設置した後に形成してもよい。次に野地板２２の棟側部分の上に、棟桟受け具５０及び捨て水切り２７を設置する。棟桟受け具５０は、軒棟方向と直交する水平方向に並んで、間隔をあけて設置される。捨て水切り２７は、筒部２７１と換気口４とが合致するように野地板２２上に配置され、この状態で設置片２７２にビス、リベットなどの固定具６が打ち込まれることで、野地板２２上に固定される。続いて、図１０Ａ及び図１０Ｂに示すように防水テープ２７３を設置片２７２上から野地板２２上に跨がって貼り付ける。
【００６０】
次に、図１１及び図１２に示すように棟桟５を棟桟受け具５０の被冠部５１に嵌合させることで、棟桟受け具５０に棟桟５を支持させる。続いて、被冠部５１にビス、リベットなどの固定具６を打ち込むことで、棟桟５を棟桟受け具５０に強固に固定する。屋根材３の棟側端部上には防水シール材７２１を設け、外壁材１上には防水シール材７３１を設ける。
【００６１】
次に、図１３及び図１４に示すように面戸７００及び換気役物７を設置する。面戸７００は、屋根側開口部７４及び壁側開口部７５を備えないこと以外は、換気役物７と同じ形状を有する部材である。但し、面戸７００の軒棟方向と直交する水平方向の寸法は、本体部材７０よりも大きい。面戸７００は、野地板２２の棟側部分を覆うように配置され、ビス、リベットなどで棟桟５に固定される。面戸７００と屋根材３との間には防水シール材７２１が介在することで、面戸７００と屋根材３との間の水の浸入が抑制され、面戸７００と外壁材１との間には防水シール材７３１が介在することで、面戸７００と外壁材１との間の水の浸入が抑制される。換気口４の上方には、面戸７００は設置されず、換気役物７が設置される。
【００６２】
換気役物７は、例えば軒棟方向と直交する水平方向の両端の各々が、面戸７００の端部の上に重なるように配置される。この場合、換気役物７の両端に通気空間１０側の面に防水シール材７２２が設けられていることで、面戸７００の端部と換気役物７との間に防水シール材７２２が介在し、このため面戸７００と換気役物７との間への水の浸入が抑制される。本実施形態では、換気役物７の固定部７１における平板部７１３から棟桟５までビス、リベットなどの固定具６を打ち込むことで、換気役物７が棟桟５に固定される。平板部７１３における固定具６が打ち込まれる位置には防水テープ７１６が貼り付けられていることで、固定具６が打ち込まれる位置からの水の浸入が抑制される。また、換気役物７の屋根側傾斜片７２と屋根材３との間には防水シール材７２１が介在することで、換気役物７と屋根材３との間の水の浸入が抑制され、換気役物７の垂下片７３と外壁材１との間には防水シール材７３１が介在することで、換気役物７と外壁材１との間の水の浸入が抑制される。
【００６３】
次に、図１５に示すように、面戸７００を覆うように複数の棟包８００を設置すると共に、換気役物７を覆うように換気棟包８を設置する。本実施形態では、棟包８００は、凹所８３を備えないこと以外は換気棟包８と同じ形状を有する。尚、棟包８００が換気棟包８と同じ形状を有してもよい。複数の棟包８００は、軒棟方向と直交する水平方向に並んで設置される。これらの換気棟包８及び棟包８００の各々に、棟桟５へ向けてビス、リベットなどの固定具６を打ち込むことで、換気棟包８及び棟包８００を棟桟５に固定することができる。
【００６４】
本実施形態に係る換気構造では、図１に示すように、屋根側換気口１１、通気空間１０、間隙７１０、屋根側開口部７４、換気空間９及び換気口４を介して屋外と屋内とが通じていると共に、壁側換気口１２、通気空間１０、壁側開口部７５、換気空間９及び換気口４を介して屋外と屋内とが通じている。このため、片流れ屋根の棟部分で屋内と屋外との間の換気を行うことができる。特に本実施形態では換気口４の直上に屋根側開口部７４があるため、屋根側開口部７４と換気口４との間を空気がスムーズに流れやすくなり、このため換気の効率が高くなる。
【００６５】
また、空気が屋外から屋根側換気口１１を通じて通気空間１０へ流入する場合、空気は通気空間１０内で第四邪魔板７９に到達する。このため、空気と共に水が通気空間１０内に浸入しても、水が第四邪魔板７９に遮られ、水が屋根側開口部７４へ到達しにくくなる。これにより、屋内への水の浸入が抑制される。また、屋外から屋根側換気口１１を通じて通気空間１０に流入した空気が屋根側傾斜片７２と屋根材３との間を通じて換気空間９に流入し、この空気と共に水が換気空間９に浸入しても、水は第一邪魔板７６に遮られ、換気口４へ到達しにくくなる。これにより、屋内への水の浸入が抑制される。特に、本実施形態では通気空間１０における屋根側換気口１１と第四邪魔板７９との間で、換気役物７と換気棟包８との間の間隔が、屋根側換気口１１から第四邪魔板７９に向かって大きくなっているため、屋根側換気口１１を通じて通気空間１０に流入した空気の流速は、屋根側換気口１１から第四邪魔板７９に近づくほど遅くなる。このため、空気と共に流入した水が第四邪魔板７９で遮られやすくなる。
【００６６】
また、本実施形態では防露材７６１が第一邪魔板部材７０１における結露を抑制しているが、万が一結露が生じても、水滴が第一邪魔板７６に誘導されて水切り片７０６から落下しやすくなる。水切り片７０６の下端は、捨て水切り２７の筒部２７１の上部開口の直上よりも軒側の位置にあるため、水切り片７０６から落下した水滴は換気口４へ浸入しにくい。これにより、屋内への水の浸入が抑制される。
【００６７】
また、空気が屋外から壁側換気口１２を通じて通気空間１０へ流入し、更に壁側開口部７５を通じて換気空間９に流入する場合、空気と共に水が壁側開口部７５を通じて換気空間９に流入しても、水は第二邪魔板７７に遮られ、換気口４に到達しにくくなる。これにより、屋内への水の浸入が抑制される。また、本実施形態では、第二邪魔板７７に付着した水が第二邪魔板７７に沿って水平方向に流れても、水は第二邪魔板部材７０２の端部において閉塞片７１７で堰き止められる。このため、水は換気空間９側へ溢れ出すことなく壁側開口部７５から通気空間１０を通じて壁側換気口１２から屋外へ排出されやすくなる。これにより、屋内への水の浸入が抑制される。
【００６８】
また強い風が水と共に屋根側換気口１１から通気空間１０へ吹き込む場合、換気構造内の空気の流れは、通気空間１０から間隙７１０、屋根側開口部７４、換気空間９及び換気口４を通じて屋内へ流入する経路と、換気空間９へ流入せずに通気空間１０のみを流れて壁側換気口１２を通じて屋外へ流出する経路とに分かれる。以下、通気空間１０における間隙７１０と壁側開口部７５との間の部分を、分岐空間１０１という。このため、換気空間９を通じて屋内へ流入する空気の量が低減され、屋内への水の浸入が抑制される。また、空気が分岐空間１０１を流れる場合、第三邪魔板７８が屋根側開口部７４を遮蔽しているため、屋根側開口部７４への水の浸入が抑制される。
【００６９】
特に本実施形態では、分岐空間１０１において、換気役物７と換気棟包８との間の間隔が、間隙７１０から壁側開口部７５に向かって大きくなってから小さくなっている。このため、空気が通気空間１０において分岐空間１０１を流れる際は、まず換気役物７と換気棟包８との間の間隔が小さいために空気は比較的速い流速で流れる。このため、空気は分岐空間１０１に引き込まれやすくなり、このため空気が間隙７１０及び屋根側開口部７４を通じて換気空間９へ流入することが抑制される。続いて、換気役物７と換気棟包８との間の間隔が大きくなることで空気の流速が遅くなる。このため空気は垂直片７３と換気棟包８との間で壁側換気口１２へ向けて下方へ誘導されやすくなり、それに伴い、空気と共に分岐空間１０１へ流入した水が分岐空間１０１に残留することなく屋外へ排出されやすくなる。
【００７０】
また強い風が水と共に壁側換気口１２から通気空間１０へ吹き込む場合、換気構造内の空気の流れは、通気空間１０から壁側開口部７５、換気空間９及び換気口４を通じて屋内へ流入する経路と、換気空間９へ流入せずに通気空間１０のみを流れて屋根側換気口１１を通じて屋外へ流出する経路とに分かれる。このため、換気空間９を通じて屋内へ流入する空気の量が低減され、屋内への水の浸入が抑制される。また、空気が分岐空間１０１を流れる場合、第三邪魔板７８が屋根側開口部７４を遮蔽しているため、屋根側開口部７４への水の浸入が抑制される。
【００７１】
特に本実施形態では、分岐空間１０１において、換気役物７と換気棟包８との間の間隔が、間隙７１０から壁側開口部７５に向かって大きくなってから小さくなっている。このため、空気が通気空間１０において分岐空間１０１を流れる際は、まず換気役物７と換気棟包８との間の間隔が小さいために空気は比較的速い流速で流れる。このため、空気は分岐空間１０１に引き込まれやすくなり、このため空気が壁側開口部７５を通じて換気空間９へ流入することが抑制される。続いて、換気役物７と換気棟包８との間の間隔が大きくなることで空気の流速が遅くなる。このため空気は屋根側傾斜片７２と換気棟包８との間で屋根側換気口１１へ向けて誘導されやすくなり、それに伴い、空気と共に分岐空間１０１へ流入した水が分岐空間１０１に残留することなく屋外へ排出されやすくなる。
【００７２】
本実施形態では、上述の通り片流れ屋根の棟部分において屋内と屋外との間の換気を行うことができ、更に強風下であっても屋内への水の浸入を効果的に抑制することができる。しかも、邪魔板を四つ設けるという簡易な構成で、屋内への水の浸入を効果的に抑制することができる。更に換気構造は換気棟包８を備えることで良好な外観を有する。
【符号の説明】
【００７３】
１      外壁材
２      屋根下地
３      屋根材
４      換気口
５      棟桟
５０    棟桟受け具
７      換気役物
７１    固定部
７２    屋根側傾斜片
７３    垂直片
７４    屋根側開口部
７５    壁側開口部
７６    第一邪魔板
７７    第二邪魔板
７８    第三邪魔板
７９    第四邪魔板
７１０  間隙
８      換気棟包
９      換気空間
１０    通気空間
１１    屋根側換気口
１２    壁側換気口
１００  換気部材
【図１】
0006367682.tif 000002
【図２】
0006367682.tif 000003
【図３】
0006367682.tif 000004
【図４】
0006367682.tif 000005
【図５】
0006367682.tif 000006
【図６】
0006367682.tif 000007
【図７】
0006367682.tif 000008
【図８】
0006367682.tif 000009
【図９】
0006367682.tif 000010
【図１０】
0006367682.tif 000011
【図１１】
0006367682.tif 000012
【図１２】
0006367682.tif 000013
【図１３】
0006367682.tif 000014
【図１４】
0006367682.tif 000015
【図１５】
0006367682.tif 000016